(57)【要約】【課題】かご内に不審者がいるかどうかを判別する精度を向上させ、高い防犯性能を確保することができるエレベータ制御システムの提供。【解決手段】集合玄関階１のエレベータホールに設置され、乗客のＩＤカードを読み込んで個人を認証する個人認証検出装置４と、かご３内の乗客数を検出するかご内人数検出装置５と、かご内人数検出装置５によって検出された乗客数と個人認証検出装置４によって認証されたＩＤカードの認証数を比較し、かご内人数検出装置５によって検出された乗客数が個人認証検出装置４によって認証されたＩＤカードの認証数よりも多いときにドア２の開放状態を継続させる制御手段と、個人認証検出装置４が既に読み込まれたＩＤカードを再度認証した場合に、再度認証されたＩＤカードの認証数を個人認証検出装置４によって既に読み込まれたＩＤカードの認証数に加算する認証数加算手段とを備えた。【選択図】図１
2012153473.tif 000002
【特許請求の範囲】
【請求項１】
建物に設けられたエレベータの乗客に関する情報が格納され、前記乗客が携帯するＩＤカードと、集合玄関階のエレベータホールに設置され、前記ＩＤカードを読み込んで個人を認証する個人認証検出装置と、前記エレベータのかご内の乗客数を検出するかご内人数検出装置と、このかご内人数検出装置によって検出された乗客数と前記個人認証検出装置によって認証された前記ＩＤカードの認証数を比較し、前記かご内人数検出装置によって検出された乗客数が前記個人認証検出装置によって認証された前記ＩＤカードの認証数よりも多いときに前記エレベータのドアの開放状態を継続させる制御手段とを備えたエレベータ制御システムにおいて、
前記個人認証検出装置が既に読み込まれた前記ＩＤカードを再度認証した場合に、再度認証された前記ＩＤカードの認証数を前記個人認証検出装置によって既に読み込まれた前記ＩＤカードの認証数に加算する認証数加算手段を備えたことを特徴とするエレベータ制御システム。
【請求項２】
請求項１に記載のエレベータ制御システムにおいて、
前記個人認証検出装置によって前記乗客の前記ＩＤカードが読み込まれたときから所定時間以内に前記個人認証検出装置が既に読み込まれた前記ＩＤカードを再度認証した場合に、再度認証された前記ＩＤカードの認証数を前記個人認証検出装置によって既に読み込まれた前記ＩＤカードの認証数に加算する時限認証数加算手段と、
前記個人認証検出装置によって前記乗客の前記ＩＤカードが読み込まれたときから所定時間を経過して前記個人認証検出装置が既に読み込まれた前記ＩＤカードを再度認証した場合に、前記個人認証検出装置によって既に読み込まれた前記ＩＤカードの認証数をリセットする認証数リセット手段とを備えたことを特徴とするエレベータ制御システム。
【請求項３】
請求項１又は２に記載のエレベータ制御システムにおいて、
前記建物の各居室に設けられ、これらの各居室と前記集合玄関階との通話を可能にするインターフォンを備え、
前記個人認証検出装置及び前記インターフォンの認証に応じて、前記ＩＤカードに記憶された階床と前記各居室の階床の前記エレベータの呼び登録、前記ＩＤカードの認証数の登録、及び認証数の変更を行うことを特徴とするエレベータ制御システム。
【発明の詳細な説明】
【技術分野】
【０００１】
本発明は、エレベータの動作を制御するエレベータ制御システムに関する。
【背景技術】
【０００２】
エレベータには、従来より乗客がかごに乗り込む際に乗客と共に不審者が乗り込む、いわゆる友連れを防止するためにエレベータ制御システムが設けられている。この種のエレベータ制御システムの従来技術の１つとして、かご等の空間の入出口に設けられたドアの開閉動作の制御を行うドア制御装置が知られている（例えば、特許文献１参照）。
【０００３】
具体的には、この従来技術のドア制御装置は、利用者の識別情報を予め登録した利用者データベースと、利用者が提供する識別情報を取得する識別情報取得手段、すなわち個人を認識するＩＤカードと、認識された識別情報と一致する識別情報が利用者データベースに登録されているか否かを判定する利用者判定手段、すなわちＩＤカードを読み込んで個人を認証する個人認証検出装置と、この個人認証検出装置により利用者データベースに登録されている識別情報と一致するとの判定のなされた識別情報を提供した認証利用者数を計数する計数手段と、空間内の利用者の数となる実利用者数を検出する利用者数検出手段、すなわち、かご内における乗客の数を計数するかご内人数検出装置と、ドアが開放された後に、認証利用者数と実利用者数とが一致するか否かを判定する利用状況判定手段とを有している。
【０００４】
そして、上述の従来技術のドア制御手段は、認証利用者数と実利用者数とが一致したとの判定がなされたときに、ドアの閉鎖を許容する第一のドア閉鎖許容制御手段と、認証利用者数と実利用者数とが一致しないとの判定がなされたときに、ドアの閉鎖を禁止するドア閉鎖禁止制御手段とを有している。従って、上述の従来技術のドア制御手段は、例えばエレベータの乗場に設けられたＩＤカード読込装置が読み込んだＩＤカードの認証数が、かご内人数検出装置によって検出されたかご内の乗客数と一致したとき、あるいは当該乗客数よりも多いとき、かご内に不審者がいないと判断してドアの閉鎖が許容される。
【０００５】
一方、ドア制御手段は、ＩＤカード読込装置が読み込んだＩＤカードの認証数が、かご内人数検出装置によって検出されたかご内の乗客数より少ないとき、かご内に不審者がいると判断してドアの閉鎖を禁止することにより、すなわちドアの開放状態を継続させることにより、かご内の乗客が友連れによってかご内へ乗り込んだ不審者と同じ空間内に閉じ込められることを防止している。
【先行技術文献】
【特許文献】
【０００６】
【特許文献１】特開２００５−２７２０８８号公報
【発明の概要】
【発明が解決しようとする課題】
【０００７】
ここで、ＩＤカードを所持する乗客が知人や友人等を居室に招くときのように乗客の他に同乗者がいることがある。この場合、上述した特許文献１に開示された従来技術のドア制御手段では、乗客の同乗者が考慮されていないので、個人認証検出装置が乗客のＩＤカードを認証しても、乗客の認証数しかカウントされず、乗客の同乗者の登録ができないことが問題となっている。このように、乗客の同乗者の登録ができなければ、個人認証検出装置によって認証される認証利用者数が、かご内人数検出装置によって計数される乗客の数、すなわち実利用者数よりも同乗者の数だけ少なくなるので、利用状況判定手段が認証利用者数と実利用者数とが一致しないと判定し、かご内に不審者がいると判断される。これにより、かご内に不審者がいないのにドア閉鎖禁止制御手段によってドアの閉鎖が禁止される不都合が生じることが懸念されている。
【０００８】
本発明は、このような従来技術の実情からなされたもので、その目的は、かご内に不審者がいるかどうかを判別する精度を向上させ、高い防犯性能を確保することができるエレベータ制御システムを提供することにある。
【課題を解決するための手段】
【０００９】
上記の目的を達成するために、本発明のエレベータ制御システムは、建物に設けられたエレベータの乗客に関する情報が格納され、前記乗客が携帯するＩＤカードと、集合玄関階のエレベータホールに設置され、前記ＩＤカードを読み込んで個人を認証する個人認証検出装置と、前記エレベータのかご内の乗客数を検出するかご内人数検出装置と、このかご内人数検出装置によって検出された乗客数と前記個人認証検出装置によって認証された前記ＩＤカードの認証数を比較し、前記かご内人数検出装置によって検出された乗客数が前記個人認証検出装置によって認証された前記ＩＤカードの認証数よりも多いときに前記エレベータのドアの開放状態を継続させる制御手段とを備えたエレベータ制御システムにおいて、前記個人認証検出装置が既に読み込まれた前記ＩＤカードを再度認証した場合に、再度認証された前記ＩＤカードの認証数を前記個人認証検出装置によって既に読み込まれた前記ＩＤカードの認証数に加算する認証数加算手段を備えたことを特徴としている。
【００１０】
このように構成した本発明は、ＩＤカードを所持する乗客が知人や友人等を居室に招くときのように乗客の他に同乗者がいる場合には、個人認証検出装置が乗客のＩＤカードを認証すると、乗客のＩＤカードの認証数をカウントする。そして、個人認証検出装置によって乗客のＩＤカードが認証されたときから再びＩＤカードを個人認証検出装置に読み込ませ、個人認証検出装置によってＩＤカードが再度認証されると、認証数加算手段が再度認証された乗客のＩＤカードの認証数を個人認証検出装置によって既に読み込まれたＩＤカードの認証数に加算するので、乗客だけでなく同乗者も乗客のＩＤカードによって認証させることができる。すなわち、乗客は、ＩＤカードが認証されてから再びＩＤカードを個人認証検出装置に同乗者の人数だけ繰り返し認証させることにより、乗客の登録と共に同乗者の登録も行うことができる。従って、乗客に友人や知人等の同乗者がいても、個人認証検出装置によって認証される認証数が、かご内人数検出装置によって計数される乗客数と一致するので、制御手段が乗客の同乗者を不審者と判断してエレベータのドアの開放状態が継続されることを防ぐことができる。これにより、かご内に不審者がいるかどうかを判別する精度を向上させることができ、高い防犯性能を確保することができる。
【００１１】
また、本発明に係るエレベータ制御システムは、前記発明において、前記個人認証検出装置によって前記乗客の前記ＩＤカードが読み込まれたときから所定時間以内に前記個人認証検出装置が既に読み込まれた前記ＩＤカードを再度認証した場合に、再度認証された前記ＩＤカードの認証数を前記個人認証検出装置によって既に読み込まれた前記ＩＤカードの認証数に加算する時限認証数加算手段と、前記個人認証検出装置によって前記乗客の前記ＩＤカードが読み込まれたときから所定時間を経過して前記個人認証検出装置が既に読み込まれた前記ＩＤカードを再度認証した場合に、前記個人認証検出装置によって既に読み込まれた前記ＩＤカードの認証数をリセットする認証数リセット手段とを備えたことを特徴としている。
【００１２】
このように構成した本発明は、ＩＤカードを所持する乗客が知人や友人等を居室に招くときのように乗客の他に同乗者がいる場合には、個人認証検出装置が乗客のＩＤカードを認証すると、乗客のＩＤカードの認証数をカウントする。そして、個人認証検出装置によって乗客のＩＤカードが読み込まれたときから所定時間以内に再びＩＤカードを個人認証検出装置に読み込ませ、個人認証検出装置によってＩＤカードが当該所定時間以内に再度認証されると、時限認証数加算手段が再度認証された乗客のＩＤカードの認証数を個人認証検出装置によって既に読み込まれたＩＤカードの認証数に加算するので、乗客だけでなく同乗者も乗客のＩＤカードによって認証させることができる。一方、個人認証検出装置によって乗客のＩＤカードが読み込まれたときから所定時間を経過して再びＩＤカードを個人認証検出装置に読み込ませ、個人認証検出装置が当該所定時間を経過してＩＤカードを再度認証した場合には、認証数リセット手段が個人認証検出装置によって既に認証されたＩＤカードの認証数をリセットするので、乗客が誤ってＩＤカードを個人認証検出装置に認証することによってＩＤカードの認証数が加算された場合に、加算された同乗者の登録を取り消すことができる。
【００１３】
また、本発明に係るエレベータ制御システムは、前記発明において、前記建物の各居室に設けられ、これらの各居室と前記集合玄関階との通話を可能にするインターフォンを備え、前記個人認証検出装置及び前記インターフォンの認証に応じて、前記ＩＤカードに記憶された階床と前記各居室の階床の前記エレベータの呼び登録、前記ＩＤカードの認証数の登録、及び認証数の変更を行うことを特徴としている。このように構成すると、乗客がＩＤカードを個人認証検出装置に読み込ませることにより、ＩＤカードに記憶された階床のエレベータの呼び登録、ＩＤカードの認証数の登録、及び認証数の変更を容易に行うことができる。さらに、インターフォンが設置されている各居室に来客者が訪れた場合に、来客者はＩＤカードを所有する乗客と一緒にいなくてもインターフォンで認証することによってエレベータの呼び登録、ＩＤカードの認証数の登録、及び認証数の変更を行うので、利便性を向上させることができる。
【発明の効果】
【００１４】
本発明のエレベータ制御システムは、建物に設けられたエレベータの乗客に関する情報が格納され、乗客が携帯するＩＤカードと、集合玄関階のエレベータホールに設置され、ＩＤカードを読み込んで個人を認証する個人認証検出装置と、エレベータのかご内の乗客数を検出するかご内人数検出装置と、このかご内人数検出装置によって検出された乗客数と個人認証検出装置によって認証されたＩＤカードの認証数を比較し、かご内人数検出装置によって検出された乗客数が個人認証検出装置によって認証されたＩＤカードの認証数よりも多いときにエレベータのドアの開放状態を継続させる制御手段とを備えている。そして、本発明のエレベータ制御システムは、個人認証検出装置が既に読み込まれたＩＤカードを再度認証した場合に、再度認証されたＩＤカードの認証数を個人認証検出装置によって既に読み込まれたＩＤカードの認証数に加算する認証数加算手段を備えている。そのため、ＩＤカードを所持する乗客が知人や友人等を居室に招くときのように乗客の他に同乗者がいる場合には、乗客は、ＩＤカードを認証してから再びＩＤカードを個人認証検出装置に同乗者の人数だけ繰り返し認証させることにより、乗客の登録と共に同乗者の登録も行うことができるので、制御手段が乗客の同乗者を不審者と判断してエレベータのドアの開放状態が継続されることを防ぐことができる。これにより、かご内に不審者がいるかどうかを判別する精度を向上させることができ、高い防犯性能を確保することができるので、安全性及び信頼性に優れたサービスを提供することができる。
【図面の簡単な説明】
【００１５】
【図１】本発明に係るエレベータ制御システムの一実施形態の構成を示す図である。
【図２】本実施形態に備えられる個人認証用データベースに格納された居住階情報テーブルの詳細を示す図である。
【図３】本実施形態に備えられる認証結果保存データベースに格納された認証装置用最新認証テーブルの詳細を示す図である。
【図４】本実施形態に備えられる認証結果保存データベースに格納された認証装置用連続認証回数テーブルの詳細を示す図である。
【図５】本実施形態に備えられる認証結果保存データベースに格納されたインターフォン用押下回数テーブルの詳細を示す図である。
【図６】本実施形態に備えられる認証結果保存データベースに格納された移動可能階テーブルの詳細を示す図である。
【図７】本実施形態に備えられるエレベータ制御装置の処理を示すタスクを説明する図である。
【図８】図７に示す個人認証検出処理の動作を説明するフローチャートである。
【図９】図７に示すインターフォン連動処理の動作を説明するフローチャートである。
【図１０】図７に示すエレベータ制御処理の動作を説明するフローチャートである。
【発明を実施するための形態】
【００１６】
以下、本発明に係るエレベータ制御システムを実施するための形態を図に基づいて説明する。
【００１７】
本発明に係るエレベータ制御システムの一実施形態は、図１に示すように建物に設けられたエレベータの乗客に関する情報が格納され、乗客が携帯する図示しないＩＤカードと、集合玄関階１のエレベータホールに設置され、ＩＤカードを読み込んで個人を認証する個人認証検出装置４と、エレベータのかご３内の乗客数を検出するかご内人数検出装置５と、このかご内人数検出装置５によって検出された乗客数と個人認証検出装置４によって認証されたＩＤカードの認証数を比較し、かご内人数検出装置５によって検出された乗客数が個人認証検出装置４によって認証されたＩＤカードの認証数よりも多いときにエレベータのドア２の開放状態を継続させる図示しない制御手段とを備えている。
【００１８】
そして、本実施形態は、個人認証検出装置４が既に読み込まれたＩＤカードを再度認証した場合に、再度認証されたＩＤカードの認証数を個人認証検出装置４によって既に読み込まれたＩＤカードの認証数に加算する図示しない認証数加算手段を備えている。また、本実施形態は、個人認証検出装置４によって乗客のＩＤカードが読み込まれたときから所定時間以内に個人認証検出装置４が既に読み込まれたＩＤカードを再度認証した場合に、再度認証されたＩＤカードの認証数を個人認証検出装置４によって既に読み込まれたＩＤカードの認証数に加算する図示しない時限認証数加算手段を備えている。
【００１９】
さらに、本実施形態は、個人認証検出装置４によって乗客のＩＤカードが読み込まれたときから所定時間を経過して個人認証検出装置４が既に読み込まれたＩＤカードを再度認証した場合に、個人認証検出装置４によって既に読み込まれたＩＤカードの認証数をリセットする図示しない認証数リセット手段を備えている。また、本実施形態は、例えば建物の図示しない各居室に設けられ、これらの各居室と集合玄関階１との通話を可能にするインターフォン１８，１９，２０を備え、個人認証検出装置４及びインターフォン１８，１９，２０の認証に応じて、ＩＤカードに記憶された階床と各居室の階床のエレベータの呼び登録、ＩＤカードの認証数の登録、及び認証数の変更を行うようになっている。
【００２０】
具体的には、本実施形態は、乗客のＩＤカードを認証するためにエレベータの乗客に関する情報を管理する個人認証用データベース７と、個人認証検出装置４によって認証された結果を保存する認証結果保存データベース８と、個人認証検出装置４及びかご内人数検出装置５に接続され、個人認証用データベース７を参照すると共に、認証結果保存データベース８を更新・参照するエレベータ制御装置６とを備えている。
【００２１】
また、本実施形態は、集合玄関階１のエレベータホールに設けられた呼び釦を点灯させたり、エレベータ制御装置６に接続されてエレベータの呼び登録の信号をエレベータ制御装置６へ送信するホール制御装置１３と、エレベータ制御装置６に接続され、エレベータ制御装置６の制御に応じてエレベータを駆動させるエレベータ駆動装置９と、インターフォン１８，１９，２０及びエレベータ制御装置６に接続され、各インターフォン１８，１９，２０の認証に応じてエレベータの呼び登録、ＩＤカードの認証数の登録、及び認証数の変更の信号をエレベータ制御装置６へ送信するインターフォン制御装置１７とを備えている。なお、かご３内には、ドア２に閉指令出力させる図示しない閉ボタンが配設されている。
【００２２】
上述の個人認証用データベース７は、例えば図２に示すように乗客のＩＤカードの番号０００１〜０００５に応じて乗客が住んでいる各居住階の情報を格納する居住階情報テーブル７１を有している。また、認証結果保存データベース８は、個人認証検出装置４によって認証されたＩＤカードのうち最新のＩＤカードの番号、例えば０００１と当該ＩＤカードが読み込まれた時刻を格納する認証装置用最新認証テーブル８１と、個人認証検出装置４によって認証されたＩＤカードの番号、例えば０００１，０００２とこれらのＩＤカードが連続して認証された回数を格納する認証装置用連続認証回数テーブル８２とを有している。さらに、認証装置用最新認証テーブル８１は、インターフォン１８，１９，２０によって各居住階の認証が行われた回数を格納するインターフォン用押下回数テーブル８３と、かご３が各居住階へ移動可能かどうかを示す移動可能階テーブル８４とを有している。
【００２３】
これら認証結果保存データベース８の各テーブル８１，８２，８３，８４のデータは、エレベータのかご３を集合玄関階１にあるエレベータホール階から駆動制御させた後は、全てのデータが初期化される。すなわち、各テーブル８１，８２，８３，８４のデータの保存期間は、データを破棄してから次にかご３を集合玄関階１から駆動制御させるまでとしている。
【００２４】
ここで、認証装置用最新認証テーブル８１の初期化処理は、図３に示すようにレコード数を常に１に保持し、ＩＤをＮＵＬＬ、最新認証時刻をＮＵＬＬとしている。また、認証装置用連続認証回数テーブル８２の初期化処理は、図４に示すレコードを全て削除してレコード数を０にし、個人認証検出装置４がＩＤカードを認証する度にレコードを追加するようになっている。さらに、インターフォン用押下回数テーブル８３の初期化処理は、図５に示す各居住階のデータをそのままとし（階床分のレコード数を確保）、インターフォン押下回数のデータを全て「０」にするようになっている。また、移動可能階テーブル８４の初期化処理は、図６に示す各居住階のデータをそのままとし、移動許可のデータを全て移動不可にするようになっている。
【００２５】
上述したエレベータ制御装置６の処理は、図７に示すようにエレベータ制御処理Ｔ１、個人認証検出処理Ｔ２、及びインターフォン連動処理Ｔ３の３つのタスクで構成され、エレベータ制御処理Ｔ１は、エレベータ駆動装置９に対してエレベータの駆動制御を行ったときに個人認証検出処理Ｔ２とインターフォン連動処理Ｔ３へそれぞれ通知し、個人認証検出処理Ｔ２は、個人認証検出装置４が乗客のＩＤカードを認証した結果、エレベータ制御処理Ｔ１へ移動可能階を通知し、インターフォン連動処理Ｔ３は、各インターフォン１８，１９，２０連動の結果、エレベータ制御処理Ｔ１へ移動可能階を通知するようになっている。ここで、個人認証検出処理Ｔ２とインターフォン連動処理Ｔ３との間では、通知が行われないようになっている。
【００２６】
また、エレベータ制御処理Ｔ１は、移動可能階テーブル８４の更新・参照、認証装置用連続認証回数テーブル８２の参照、及びインターフォン用押下回数テーブル８３の参照を行い、個人認証検出処理Ｔ２は、居住階情報テーブル７１の参照、認証装置用最新認証テーブル８１の更新・参照、及び認証装置用連続認証回数テーブル８２の更新・参照を行い、インターフォン連動処理Ｔ３は、インターフォン用押下回数テーブル８３の更新・参照を行うようになっている。
【００２７】
次に、本実施形態に備えられたエレベータ制御装置６における個人認証検出処理Ｔ２の動作を図８のフローチャートに基づいて説明する。
【００２８】
図８は図７に示す個人認証検出処理の動作を説明するフローチャートである。
【００２９】
図８に示すように本実施形態では、乗客が、集合玄関階１にあるエレベータのドア２近傍に設置された個人認証検出装置４に図示しないＩＤカードの認証を行うと、認証ＩＤが個人認証検出装置４からエレベータ制御装置６へ送信され、エレベータ制御装置６における個人認証検出処理Ｔ２が認証ＩＤを受信する。一方、エレベータ制御装置６におけるエレベータ制御処理Ｔ１は、個人認証検出処理Ｔ２から駆動制御通知の有無を検出する（ステップ（以下、Ｓと記す）１０１）。このとき、駆動制御通知が個人認証検出処理Ｔ２から送信されると、認証装置用最新認証テーブル８１と認証装置用連続認証回数テーブル８２の初期化を行う（Ｓ１０２）。
【００３０】
次に、エレベータ制御装置６における個人認証検出処理Ｔ２は、個人認証検出装置４から送信された乗客のＩＤカードの認証ＩＤを検出すると（Ｓ１０３）、この認証ＩＤが図２に示す個人認証用データベース７の居室階情報テーブル７１に格納されているＩＤと照合し（Ｓ１０４）、認証ＩＤが当該居室階情報テーブル７１に格納されているＩＤと一致するかどうか判断する（Ｓ１０５）。手順Ｓ１０５において認証ＩＤが当該居室階情報テーブル７１に格納されているＩＤと一致した場合には、当該居室階情報テーブル７１の当該ＩＤの居住階をエレベータ制御処理Ｔ１へ通知する（Ｓ１０６）。一方、手順Ｓ１０５において認証ＩＤが当該居室階情報テーブル７１に格納されているＩＤと一致しなかった場合には、手順Ｓ１０１に戻る。
【００３１】
次に、手順Ｓ１０６においてエレベータ制御装置６の個人認証検出処理Ｔ２は、エレベータ制御処理Ｔ１へ居室階情報テーブル７１の情報を通知後、図３に示す認証装置用最新認証テーブル８１の認証ＩＤを取得し（Ｓ１０７）、手順Ｓ１０３で取得した認証ＩＤと認証装置用最新認証テーブル８１のＩＤが一致しているかどうかを判断する（Ｓ１０８）。そして、個人認証検出処理Ｔ２が手順Ｓ１０３で取得した認証ＩＤと認証装置用最新認証テーブル８１のＩＤが一致していると判断した場合には、現時刻と認証装置用最新認証テーブル８１の最新認証時刻とを取得する（Ｓ１１０）。
【００３２】
次に、エレベータ制御装置６の個人認証検出処理Ｔ２は、現時刻と最新認証時刻との差を計算して、所定時間、例えば１０秒以内であるかどうかを判定し（Ｓ１１１）、１０秒以内であれば連続認証と見なし、時限認証数加算手段によって認証装置用連続認証回数テーブル８２の該当ＩＤの連続認証回数を一つ加算して更新し（Ｓ１１２）、認証装置用最新認証テーブル８１のＩＤ、及び最新認証時刻として現時刻を更新する（Ｓ１１３）。
【００３３】
ここで、個人認証検出装置４が図示しないＩＤカードの認証ＩＤを一回目に認証したときは０秒であり、手順Ｓ１１１では所定時間内と判断される。そして、一回目の認証が時間計測の起点となり、１０秒という所定時間は任意に定めておくことができる。このように、手順Ｓ１０７、Ｓ１０８、Ｓ１１０〜Ｓ１１２は、１０秒以内に乗客のＩＤカードを何回連続して認証したかを計測し、ＩＤカードを所持しない者、すなわち乗客の同乗者の数を登録するものである。
【００３４】
また、手順Ｓ１０８において、個人認証検出処理Ｔ２が手順Ｓ１０３で取得した認証ＩＤと認証装置用最新認証テーブル８１のＩＤが一致していないと判断した場合、すなわち別の認証ＩＤを有するＩＤカードを所持する別の乗客が個人認証検出装置４へＩＤカードを読み込ませた場合には、認証装置用連続認証回数テーブル８２の該当ＩＤの連続認証回数を１として更新し（Ｓ１０９）、新しい乗客と判断して手順Ｓ１１３へ戻る。
【００３５】
一方、手順Ｓ１１１において、エレベータ制御装置６の個人認証検出処理Ｔ２が現時刻と最新認証時刻との差が１０秒を越えていると判定した場合には、例えば認証数リセット手段によって認証装置用連続認証回数テーブル８２の該当ＩＤの連続認証回数を１として更新し（Ｓ１０９）、手順Ｓ１１３へ戻る。このように、現時刻と最新認証時刻の差が所定時間である１０秒を超えると、上述したように同一認証ＩＤを読み込んでも連続認証回数を１とすることは、手順Ｓ１０７、Ｓ１０８、Ｓ１１０〜Ｓ１１２において同一ＩＤカードで登録した同乗者の数をリセットさせて１名とするものであり、例えば乗客がＩＤカードを誤入力（過入力）した場合に活用するものである。
【００３６】
本実施形態は、以上説明したように個人認証検出装置４から送られてきたＩＤカードの認証ＩＤの検出、その所定時間内の連続回数、及び居住階である移動可能階を個人認証検出処理Ｔ２が検出処理し、これらの情報をエレベータ制御処理Ｔ１へ通知する。
【００３７】
次に、本実施形態に備えられたエレベータ制御装置６におけるインターフォン連動処理Ｔ３の動作を図９のフローチャートに基づいて説明する。
【００３８】
図９は図７に示すインターフォン連動処理の動作を説明するフローチャートである。
【００３９】
図９に示すように、まず図１に示す集合玄関階１に設けられる図示しないインターフォン親機と各居室のインターフォン１８，１９，２０の何れかが通話の状態となり、各居室のインターフォン１８，１９，２０に配設される図示しないボタンが押されると、インターフォン制御装置１７を介してエレベータ制御装置６に居室階の信号が送信され、エレベータ制御装置６内でインターフォン連動処理Ｔ３が居室階を受信する。
【００４０】
また、図７に示すようにエレベータ制御装置６におけるエレベータ制御処理Ｔ１から駆動制御通知有無の判定を行い（Ｓ２０１）、駆動制御通知有の場合は、図５に示すインターフォン用押下回数テーブル８３の初期化を行う（Ｓ２０２）。次に、手順Ｓ２０１において駆動制御通知無の場合、インターフォン制御装置１７より居住階の信号を取得し（Ｓ２０３）、居住階の信号の有無を判定する（Ｓ２０４）。居住階に信号がある場合には、図５に示すインターフォン用押下回数テーブル８３における該当する居住階のインターフォン押下回数を一つ加算して更新し（Ｓ２０５）、居住階をエレベータ制御処理Ｔ１への通知を行う（Ｓ２０６）。このように、各居室のインターフォン１８，１９，２０に配設されるボタンを通話状態のとき操作することにより、インターフォン制御装置１７からエレベータ制御装置６へ信号が送信される。
【００４１】
次に、本実施形態に備えられたエレベータ制御装置６におけるエレベータ制御処理Ｔ１の動作を図１０のフローチャートに基づいて説明する。
【００４２】
図１０は図７に示すエレベータ制御処理の動作を説明するフローチャートである。
【００４３】
図１０に示すように、エレベータ制御処理Ｔ１は、かご３が集合玄関階１に到着して停止しているかどうかを判定し（Ｓ３０１）、かご３が集合玄関階１に停止していないと判定した場合には、通常のエレベータ制御を継続させる（Ｓ３０２）。一方、手順Ｓ３０１においてエレベータ制御処理Ｔ１が、かご３が集合玄関階１に停止していると判定した場合には、個人認証検出処理Ｔ２とインターフォン連動処理Ｔ３より送信された移動可能階を受信し、移動可能階テーブル８４を更新すると共に（Ｓ３０３）、更新した移動可能階をホール制御装置１３に通知する（Ｓ３０４）。
【００４４】
次に、移動可能階を取得したホール制御装置１３は、移動可能階の図示しないボタンがランプ消灯時に押された場合のみ該当ランプを点灯させ、移動不可能階の図示しないボタンが押されても該当ランプを点灯させない制御を行う。そして、エレベータ制御処理Ｔ１は、図４に示す認証装置用連続認証回数テーブル８２を参照して連続認証回数の合計値を計算すると共に（Ｓ３０５）、図５に示すインターフォン用押下回数テーブル８３を参照してインターフォン押下回数の合計値を計算し（Ｓ３０６）、連続認証回数の合計値とインターフォン押下回数の合計値を加算して認証回数カウント数を求める（Ｓ３０７）。
【００４５】
また、エレベータ制御装置６は、かご３内の乗客数を検出するかご内人数検出装置５より、かご３内の乗客数を取得し（Ｓ３０８）、この乗客数と手順Ｓ３０７で求めた認証回数カウント数比較する（Ｓ３０９）。手順Ｓ３０９において、乗客数が認証回数カウント数よりも多いときは、手順Ｓ３０３に戻る。一方、手順Ｓ３０９において、認証回数カウント数が乗客数以上であったとき、エレベータ制御装置６は、かご３内に配設されたドア２に閉指令出力させる図示しない閉ボタンが押されたか、あるいはドア２が開いてから自動的にドア２を閉じさせるために予め設定したドア閉時間に至ったかを判定する（Ｓ３１０）。
【００４６】
手順Ｓ３１０において、エレベータ制御装置６は、かご３内に配設されたドア２に閉指令出力させる図示しない閉ボタンが押されず、さらにドア２が開いてからドア閉時間に至っていないと判定すると、手順Ｓ３０３に戻る。一方、エレベータ制御装置６は、かご３内に配設されたドア２に閉指令出力させる図示しない閉ボタンが押されたり、あるいはドア２が開いてからドア閉時間に至ったと判定すると、ドア２を閉じるように制御し（Ｓ３１１）、手順Ｓ３０８で取得したかご３内の乗客数を再度取得し（Ｓ３１２）、この乗客数と認証回数カウント数を比較し（Ｓ３１３）、乗客数が認証回数カウント数よりも多いときは、ドア２を開放して（Ｓ３１４）、ステップＳ３０３へ戻り待機する。
【００４７】
一方、手順Ｓ３１３において、認証回数カウント数が乗客数以上であるときは、エレベータ制御装置６は、エレベータ駆動装置９を制御し（Ｓ３１５）、かご３を走行させる。次に、かご３が走行すると、エレベータ制御装置６のエレベータ制御処理Ｔ１は、移動可能階テーブル８４の初期化処理を実行し（Ｓ３１６）、個人認証検出処理Ｔ２へ駆動制御通知を送信すると共に（Ｓ３１７）、インターフォン連動処理Ｔ３へ駆動制御通知を送信し（Ｓ３１８）、手順Ｓ３０１に戻って上述の動作を繰り返す。
【００４８】
このように構成した本実施形態によれば、ＩＤカードを所持する乗客が知人や友人等を居室に招くときのように乗客の他に同乗者がいる場合には、手順Ｓ１１１においてエレベータ制御装置６の個人認証検出処理Ｔ２が現時刻と認証装置用最新認証テーブルの最新認証時刻との差を計算して所定時間の１０秒以内であると判定すると、すなわち個人認証検出装置４によって乗客のＩＤカードが読み込まれたときから１０秒以内に再び同じＩＤカードを個人認証検出装置４に読み込ませ、個人認証検出装置４によってＩＤカードが再度認証されると、手順Ｓ１１２において時限認証数加算手段が再度認証された乗客のＩＤカードの認証数を個人認証検出装置４によって既に読み込まれたＩＤカードの認証数に加算するので、乗客だけでなく同乗者も乗客のＩＤカードによって認証させることができる。
【００４９】
すなわち、乗客は、ＩＤカードが認証されてから再びＩＤカードを個人認証検出装置４に同乗者の人数だけ繰り返し認証させることにより、乗客の登録と共に同乗者の登録も行うことができる。従って、乗客に友人や知人等の同乗者がいても、手順３１３において認証回数カウント数が、かご内人数検出装置５によって計数される乗客数以上になるので、制御手段が乗客の同乗者を不審者と判断してエレベータのドア２の開放状態が継続されることを防ぐことができる。これにより、かご３内に不審者がいるかどうかを判別する精度を向上させることができ、高い防犯性能を確保することができるので、安全性及び信頼性に優れたサービスを提供することができる。
【００５０】
また、本実施形態は、手順Ｓ１１１においてエレベータ制御装置６の個人認証検出処理Ｔ２が現時刻と認証装置用最新認証テーブル８１の最新認証時刻との差を計算して１０秒以内でないと判定した場合、すなわち個人認証検出装置４によって乗客のＩＤカードが読み込まれたときから１０秒を経過して再びＩＤカードを個人認証検出装置４に読み込ませ、ＩＤカードが再度認証された場合には、手順Ｓ１０９において認証数リセット手段が個人認証検出装置４によって既に認証されたＩＤカードの認証数をリセットするので、乗客が誤ってＩＤカードを個人認証検出装置４に認証することによってＩＤカードの認証数が同乗者の数よりも多く加算されたときに、加算された同乗者の登録を取り消すことができる。これにより、利便性を高めることができる。
【００５１】
また、本実施形態は、建物の各居室に設けられ、これらの各居室と集合玄関階１との通話を可能にするインターフォン１８，１９，２０を備え、個人認証検出装置４及びインターフォン１８，１９，２０の認証に応じて、手順Ｓ３０７において連続認証回数の合計値とインターフォン押下回数の合計値を加算して認証回数カウント数を求めるようにしているので、乗客がＩＤカードを個人認証検出装置４に読み込ませることにより、ＩＤカードに記憶された階床のエレベータの呼び登録、ＩＤカードの認証数の登録、及び認証数の変更を容易に行うことができる。さらに、本実施形態は、インターフォン１８，１９，２０が設置されている各居室に来客者が訪れた場合に、来客者はＩＤカードを所有する乗客と一緒にいなくても上述したようにインターフォン１８，１９，２０で認証することによってエレベータの呼び登録、ＩＤカードの認証数の登録、及び認証数の変更を行うので、利便性をより向上させることができる。
【００５２】
なお、上述した本実施形態では、手順Ｓ１０９において認証数リセット手段によって認証装置用連続認証回数テーブル８２のＩＤの連続認証回数を１として更新した場合について説明したが、この場合に限らず、かご３内あるいは各乗場にも個人認証検出装置を設け、乗客が同乗者と共にかご３から降りるときには、個人認証検出装置にＩＤカードを認証させることにより、認証数リセット手段によって認証装置用連続認証回数テーブル８２の当該ＩＤの連続認証回数を０、あるいは当該ＩＤのレコードを削除してレコード数を０にリセットするようにしても良い。このように構成すると、乗客と同乗者が降りる際に入れ違いでかご３内へ乗り込んだ不審者に対する友連れを防止することができ、信頼性を向上させることができる。
【００５３】
また、本実施形態は、かご３への同乗者の登録及び同乗者のリセットを、個人認証検出装置４が乗客のＩＤカードを読み込むことによって行う場合について説明したが、かご３への同乗者の登録及び同乗者のリセットを、各居室のインターフォン１８，１９，２０に配設される図示しないボタンを通話状態のときに操作して行うようにしても良い。
【符号の説明】
【００５４】
１  集合玄関階
４  個人認証検出装置
５  かご内人数検出装置
６  エレベータ制御装置
７  個人認証用データベース
８  認証結果保存データベース
１７  インターフォン制御装置
１８，１９，２０  インターフォン
７１  居住階情報テーブル
８１  認証装置用最新認証テーブル
８２  認証装置用連続認証回数テーブル
８３  インターフォン用押下回数テーブル
８４  移動可能階テーブル
Ｔ１  エレベータ制御処理
Ｔ２  個人認証検出処理
Ｔ３  インターフォン連動処理
【図１】
2012153473.tif 000003
【図２】
2012153473.tif 000004
【図３】
2012153473.tif 000005
【図４】
2012153473.tif 000006
【図５】
2012153473.tif 000007
【図６】
2012153473.tif 000008
【図７】
2012153473.tif 000009
【図８】
2012153473.tif 000010
【図９】
2012153473.tif 000011
【図１０】
2012153473.tif 000012